(57)【特許請求の範囲】
【請求項１】
被取付体側に固定されるベース板と、該ベース板に基端部が回動可能に軸支される合成樹脂の一体成形品である第１アームと、ベース板に基端部が回動可能に軸支される合成樹脂の一体成形品である第２アームと、該第１アームと第２アームの各自由端部に位置をずらして回動可能に軸支されてベース板に沿う折畳位置とベース板から離間する展開位置間を移動する合成樹脂の一体成形品であるカップ保持孔付の保持プレートとを備えることを特徴とするカップホルダー。
【請求項２】
被取付体側に固定されるベース板と、該ベース板に基端部が回動可能に軸支される合成樹脂の一体成形品である第１アームと、ベース板に基端部が回動可能に軸支される合成樹脂の一体成形品である第２アームと、該第１アームと第２アームの各自由端部に位置をずらして回動可能に軸支されてベース板に沿う折畳位置とベース板から離間する展開位置間を移動する合成樹脂の一体成形品であるカップ保持孔付の保持プレートとを備え、ベース板に対する軸支点を中心とした上記第１アームの保持プレートに対する軸支点の弧状回動軌跡と、ベース板に対する軸支点を中心とした上記第２アームの保持プレートに対する軸支点の弧状回動軌跡とが交差するように、当該各軸支点を位置させたことを特徴とするカップホルダー。
【請求項３】
ベース板の下部に回動可能に軸支されるトレイ兼用の格納カバーを備え、第２アームの基端部のベース板に対する軸支点が、第２アームの自由端部の保持プレートに対する軸支点よりも上位にあることを特徴とする請求項２記載のカップホルダー。
【請求項４】
ベース板の下部に回動可能に軸支されるトレイ兼用の格納カバーを備え、第２アームの基端部のベース板に対する軸支点が、第２アームの自由端部の保持プレートに対する軸支点よりも下位にあることを特徴とする請求項２記載のカップホルダー。
【請求項５】
第２アーム又は保持プレートの第１アームの軸支点よりもベース板側寄りの端部を覆う覆い壁を設けたことを特徴とする請求項１乃至請求項４のいずれかに記載のカップホルダー。
【請求項６】
覆い壁を第１アームに設けて、保持プレートの展開状態では、当該覆い壁を保持プレートのカップ保持部側へ傾斜させたことを特徴とする請求項５記載のカップホルダー。
【発明の詳細な説明】
【０００１】
【発明の属する技術分野】
本発明は、自動車の室内に設けられるカップホルダーの改良に関するものである。
【０００２】
【従来の技術】
従来のこの種カップホルダーとして、特開平８−３１８７７５号公報に示すものが存する。
該従来のカップホルダーは、具体的には図示しないが、自動車ドア等に固定されるベース板と、該ベース板の下端部に回動可能に軸支されてベース板に沿う垂直な格納位置とベース板から離間する水平な展開位置間を移動するトレイ兼用の格納カバーと、該格納カバー側に基端部が回動可能に軸支されるアームと、基端部が上記ベース板側に設けられたガイド溝に上下動可能に係合し自由端部が上記アームの自由端部に回動可能に軸支されるカップの保持プレートと、該保持プレートとアームとを常時展開方向へ弾性付勢する捩じりコイルばねとを備える構成となっている。
【０００３】
そして、実際の使用に際しては、ロック手段のロックを解除して、格納カバーを水平な展開位置まで回動すると、保持プレートの基端部が捩じりコイルばねのばね圧でベース板のガイド溝内を上昇して、当該保持プレートもアームを伴って水平な展開位置まで回動するので、後は、保持プレートの内側に画成されている保持孔内にカップを差し入れて、当該カップの底部を展開状態にある格納カバー上に載置すれば、これにより、カップを保持できる。
【０００４】
逆に、カップを保持しない時には、格納カバーを垂直な格納位置まで回動すると、今度は、保持プレートの基端部が上記ガイド溝内を降下して、保持プレートとアームとを上記捩じりコイルばねのばね圧に抗して折り畳めるので、そのまま、格納カバーをベース板側にロック手段を介してロックすれば、その不使用状態が得られることとなる。
【０００５】
【発明が解決しようとする課題】
従って、従来のカップホルダーの下では、その使用状態と不使用状態が簡単に得られる利点を有するが、カップを保持する保持プレートの基端部をベース板のガイド溝に上下動可能に係合させている関係で、これに応じて、自ずと、カップがベース板側に近接して保持されることとなる。この為、従来のカップホルダーにあっては、カップの出し入れに際して、手がベース板や当該ベース板を固定しているドア等の壁面にぶつかってしまう恐れがあった。
【０００６】
そこで、斯る不利不便を解消するためには、保持プレートの基端部側を膨出させて、その保持孔を全体として手前に移動させれば、カップをベース板やベース板を固定した壁面から離して保持することは可能となるが、今度は、保持プレートの基端部側を膨出させた分だけ、保持プレート全体が自ずと大きくなってしまうので、当該保持プレートやアームを折り畳んで格納したその不使用状態が大型化してしまう。
【０００７】
【課題を解決するための手段】
本発明は、斯る従来カップホルダーの抱える課題を有効に解決するために開発されたもので、請求項１記載の発明は、被取付体側に固定されるベース板と、該ベース板に基端部が回動可能に軸支される合成樹脂の一体成形品である第１アームと、ベース板に基端部が回動可能に軸支される合成樹脂の一体成形品である第２アームと、該第１アームと第２アームの各自由端部に位置をずらして回動可能に軸支されてベース板に沿う折畳位置とベース板から離間する展開位置間を移動する合成樹脂の一体成形品であるカップ保持孔付の保持プレートとを備える構成を採用した。
【０００８】
請求項２記載の発明は、被取付体側に固定されるベース板と、該ベース板に基端部が回動可能に軸支される合成樹脂の一体成形品である第１アームと、ベース板に基端部が回動可能に軸支される合成樹脂の一体成形品である第２アームと、該第１アームと第２アームの各自由端部に位置をずらして回動可能に軸支されてベース板に沿う折畳位置とベース板から離間する展開位置間を移動する合成樹脂の一体成形品であるカップ保持孔付の保持プレートとを備え、ベース板に対する軸支点を中心とした上記第１アームの保持プレートに対する軸支点の弧状回動軌跡と、ベース板に対する軸支点を中心とした上記第２アームの保持プレートに対する軸支点の弧状回動軌跡とが交差するように、当該各軸支点を位置させる構成を採用した。
【０００９】
請求項３記載の発明は、請求項２を前提として、ベース板の下部に回動可能に軸支されるトレイ兼用の格納カバーを備え、第２アームの基端部のベース板に対する軸支点が、第２アームの自由端部の保持プレートに対する軸支点よりも上位にある構成を採用した。
【００１０】
請求項４記載の発明は、請求項２を前提として、ベース板の下部に回動可能に軸支されるトレイ兼用の格納カバーを備え、第２アームの基端部のベース板に対する軸支点が、第２アームの自由端部の保持プレートに対する軸支点よりも下位にある構成を採用した。
【００１１】
請求項５記載の発明は、請求項１乃至請求項４を前提として、第２アーム又は保持プレートの第１アームの軸支点よりもベース板側寄りの端部を覆う覆い壁を設ける構成を採用した。
【００１２】
請求項６記載の発明は、請求項５を前提として、覆い壁を第１アームに設けて、保持プレートの展開状態では、当該覆い壁を保持プレートのカップ保持部側へ傾斜させる構成を採用した。
【００１３】
依って、請求項１や請求項２記載の発明にあっては、第１アームと第２アームの作用で、保持プレートをベース板から離して支持することが可能となるので、これに応じて、カップをベース板や被取付体から離して保持できる一方、第１アームと第２アームと共に、保持プレートをベース板に沿って折り畳めるので、カップホルダーの不使用状態が大型化する心配がない。又、特に、請求項２記載の発明にあっては、保持プレートをベース板から離して支持する第１アームと第２アームとを、その折畳状態では、保持プレートに対する各軸支点において、保持プレートと重なる方向へ折り畳めるので、不使用状態の更なる小型化が期待できる。
【００１４】
請求項３記載の発明にあっては、小型の格納カバー内に格納可能でありながら、上位にある第２アームで、保持プレートをより手前に迫り出すことができるので、使い勝手が更に良好となる。請求項４記載の発明にあっては、同じく、小型の格納カバー内に格納可能でありながら、下位にある第２アームで、保持プレートを高位に支持できるので、カップの保持状態が頗る安定して、カップの倒れ防止に貢献できる。
【００１５】
請求項５記載の発明にあっては、覆い壁の存在で、カップの底部が第２アーム又は保持プレートの第１アームの軸支点よりもベース板側寄りの端部に衝突することがないので、保持プレートが誤って回動して、カップを保持できなくなる心配がない。請求項６記載の発明にあっては、これに加えて、カップの底部が第１アームに衝突しても、保持プレートは回動しないので、覆い壁を第１アーム側に設けておけば、カップを保持プレートのカップ保持部内に導き入れることができる。
【００１６】
【発明の実施の形態】
以下、本発明を図示する好適な実施の形態に基づいて詳述すれば、該実施の形態に係るカップホルダーは、これに限定されるものではないが、自動車ドアに設置されるものとして開発されたもので、図１に示す如く、主として、被取付体となるドア側に固定されるベース板１と、トレイを兼用する格納カバー６と、一対の長寸な第１アーム１０と、一対の短寸な第２アーム１４と、カップを保持する保持プレート１９とを備え、各部品１・６・１０・１４・１９は、いずれも、合成樹脂の一体成形品である。
【００１７】
そこで、まず、ベース板１と格納カバー６から説明すると、ベース板１は、略正方形状を呈し、その上端部中央に弾性ロック爪２を設ける一方、上端部両側に大きく離れた対の軸受部３を設けると共に、中央部寄りに小さく離れた対の軸受部４を設け、且つ、下端部両側に大きく離れた対の軸部５を突設し、格納カバー６は、ベース板１より一回り大きな箱型の略正方形状を呈し、その後端部両側に上記軸部５を嵌入する対の軸受部７を設け、前端部中央に上記弾性ロック爪２を係止する凹状の係止部８を設ける構成となっている。
【００１８】
従って、ベース板１の下端部両側に設けられた軸部５を格納カバー６の後端部両側に設けられた軸受部７に嵌入すると、格納カバー６がベース板１に対して回動可能に軸支されて、当該格納カバー６をベース板１に沿う垂直な格納位置まで回動して、自身の係止部８を弾性ロック爪２に係止すると、格納カバー６の内側に上記各アーム１０・１４と保持プレート１９を折り畳んで格納でき、逆に、弾性ロック爪２に対する係止部８の係止を解いて、格納カバー６をベース板１から離間する水平な展開位置まで回動すると、格納カバー６をカップの底部を載置するトレイとして兼用できる構成となっている。尚、図中、９は、上記ベース板１に設けられた一方の軸部５の逆方向に延長された延長部５ａに装着されて、格納カバー６を常時水平な展開位置方向に弾性付勢する捩じりコイルばねである。
【００１９】
一対の長寸な第１アーム１０は、第２アーム１４及び保持プレート１９のベース板１側寄りの端部を傾斜して覆う覆い壁１１で一体的に連結されて、各第１アーム１０の基端部側と自由端部側の内面に軸部１２・１３を個々に突設して、基端部側の軸部１２を上記ベース板１の上端部両側に設けられている軸受部３に外側より嵌入することにより、ベース板１に対して回動可能に軸支され、自由端部側の軸部１３を後述する保持プレート１９の軸受部２２に外側より嵌入することにより、ベース板１から斜め下方へ伸びて、保持プレート１９を回動可能に支持できる構成となっている。
【００２０】
一対の短寸な第２アーム１４は、基端部側が単なる連結壁１５を介して一体的に連結されて、該連結壁１５の両側外面に対の軸部１６を突設すると共に、各第２アーム１４の自由端部側の外面に同じく軸部１７を個々に突設して、連結壁１５側の軸部１６を上記ベース板１の中央部寄りに設けられている軸受部４に内側から嵌入することにより、ベース板１に対して回動可能に軸支され、自由端部側の軸部１７を後述する保持プレート１９の軸受部２３に内側から嵌入することにより、ベース板１から水平に伸びて、保持プレート１９を第１アーム１０と共働して回動可能に支持できる構成となっている。
【００２１】
保持プレート１９は、内側にカップの保持孔２０を画成した枠状を呈し、その基端部両側に上記各第２アーム１４の下面に形成されたストッパー壁１８と係合するストッパー溝２１を形成する一方、両側壁に第１アーム１０と第２アーム１４の各自由端部側に突設された軸部１３・１７を嵌入する軸受部２２・２３を前後に位置をずらして設け、且つ、第１アーム１０の一方の軸部１３に保持プレート１９を常時水平な展開位置方向へ弾性付勢する捩じりコイルばね２４を装着する構成となっている。
【００２２】
尚、図中、２５は、保持プレート１９の基端部側に回動可能に取り付けられた補助片で、保持プレート１９の保持孔２０内でカップをその径に応じて支えるものであるが、当該補助片２５は捩じりコイルばね（図示せず）のばね圧で保持プレート１９と常時水平となるように弾性付勢されている。
【００２３】
従って、保持プレート１９の前後にずれた各軸受部２２・２３の内、前寄りの軸受部２２に第１アーム１０の軸部１３を外側から嵌入し、後寄りの軸受部２３に第２アーム１４の軸部１７を内側から嵌入すれば、上記捩じりコイルばね２４のばね圧とストッパー壁１８及びストッパー溝２１の係合とで、保持プレート１９は、ベース板１から離間する水平な展開位置に付勢支持されることとなるが、格納カバー６をベース板１に沿う垂直な格納位置まで回動すると、各アーム１０・１４をベース板１に対する個々の軸支点（軸受部３と軸部１２・軸受部４と軸部１６）を中心として下方に回動させながら、自身は上方に回動して、ベース板１に沿う垂直な折畳位置まで折り畳まれることとなる。
【００２４】
依って、斯る構成のカップホルダーにあっては、上記ベース板１を自動車ドアＤの所定個所に固定すれば、その使用に供せられることとなるが、カップホルダーとして使用する場合には、弾性ロック爪２に対する係止部８の係止を解くと、図２・図３に示す如く、格納カバー６が上記捩じりコイルばね９のばね圧で自動的に展開位置まで回動すると同時に、第１アーム１０と第２アーム１４の支持案内を得て、保持プレート１９もストッパー壁１８とストッパー溝２１の規制を受けるまで上記捩じりコイルばね２４のばね圧で自動的に水平な展開位置まで回動するので、後は、保持プレート１９の内側に画成されている保持孔２０内にカップ（図示せず）を差し入れて、当該カップの底部を展開状態にある格納カバー６上に載置すれば、これにより、カップを確実に保持できる。
【００２５】
尚、カップの差し込みに際して、カップの底部が第２アーム１４又は保持プレート１９の第１アーム１０の軸支点（軸受部２２と軸部１３）よりもベース板１側寄りの端部を誤って衝突すると、保持プレート１９が上方に回動してカップを差し入れなくなってしまう恐れがあるが、本実施の形態にあっては、既述した如く、一対の第１アーム１０を連結する覆い壁１１が、第２アーム１４及び保持プレート１９のベース板１側寄りの端部を傾斜する状態をもって覆っているので、カップの底部が当該第２アーム１４や保持プレート１９のベース板１側寄りの端部に衝突することを防止して、カップを速やかに保持プレート１９の保持孔２０内に導き入れることが可能となる。しかも、カップの底部が第１アーム１０に衝突しても、保持プレート１９は回動しないので、覆い壁１１を第１アーム１０側に設けておくことは頗る合理的と言える。
【００２６】
又、保持プレート１９自体は、図示する如く、特に、長寸な第１アーム１０と短寸な第２アーム１４の相乗作用で、ベース板１から手前に迫り出した状態に支持されてカップを保持することが可能となるので、従来のものとは異なり、カップの出し入れ時に、手がベース板１又はドアＤ面にぶつかる恐れがなくなって、使用上頗る至便となる。
【００２７】
この為、本実施の形態の下では、一応、保持プレート１９の水平な展開状態においては、第２アーム１４を保持プレート１９と一緒に水平方向に伸びるように設定しているが、同一の条件下で、保持プレート１９を可能な限り手前に迫り出させたい場合には、図４のＡに示す如く、第２アーム１４の基端部のベース板１に対する軸支点（軸受部４と軸部１６）を、第２アーム１４の自由端部の保持プレート１９に対する軸支点（軸受部２３と軸部１７）よりも上位となるように設定すると、当該第２アーム１４が斜め下方に伸びることとなるので、水平に伸びるように設定した場合よりも、その分だけ、第２アーム１４を長くできる。
【００２８】
従って、折り畳み時に、この長い第２アーム１４が下方に回動すると、保持プレート１９のベース板１側端部をより下方へ引き下げて、保持プレート１９がベース板１の上方にはみ出すことを防止できるので、不使用状態にあるカップホルダーの小型化を図りながら、保持プレート１９を更に手前に迫り出すことが可能となる。即ち、第２アーム１４は、長ければ長い程、展開状態においては、保持プレート１９を手前に迫り出すことができると共に、折畳状態においては、保持プレート１９を下方に引き下げて、不使用状態にあるカップホルダーの小型化を可能とするものである。
【００２９】
逆に、図４のＢに示す如く、第２アーム１４の基端部のベース板１に対する軸支点（軸受部４と軸部１６）を、第２アーム１４の自由端部の保持プレート１９に対する軸支点（軸受部２３と軸部１７）よりも下位となるように設定すると、当該第２アーム１４が斜め上方に伸びることとなるので、保持プレート１９を手前に迫り出して使用できることに加えて、水平に伸びるように設定した場合よりも、第２アーム１４を長くでき、且つ、折り畳まれる際には、第２アーム１４は斜め上方から水平レベルを通り越して下方に回動することによって、図４のＡの場合よりも、更に、保持プレート１９を下方に大きく引き下げながら折り畳めるので、今度は、同一条件下で、保持プレート１９より高位において展開支持できる結果、カップの保持状態がより安定する利点がある。
【００３０】
又、カップホルダーとして使用しない場合には、格納カバー６をベース板１側に回動して弾性ロック爪２に係止部８を係止すれば、図５・図６に示す如く、第１アーム１０と第２アーム１４は、各基端部側の軸部１２・１６を中心として下方に回動しながらベース板１側に折り畳まれ、保持プレート１９は、各アーム１０・１４の自由端部側の軸部１３・１７を中心として上方に回動しながら折り畳まれて、格納カバー６の内側に格納されるので、カップホルダー自体の存在が邪魔となる心配はない。
【００３１】
しかも、本実施の形態にあっては、図３・図４に示す如く、ベース板１に対する軸支点（軸受部３と軸部１２）を中心とした第１アーム１０の保持プレート１９に対する軸支点（軸受部２２と軸部１３）の弧状回動軌跡と、ベース板１に対する軸支点（軸受部４と軸部１６）を中心とした第２アーム１４の保持プレート１９に対する軸支点（軸受部２３と軸部１７）の弧状回動軌跡とが交差するように、当該各軸支点を位置させているので、第１アーム１０と第２アーム１４とを、その折畳状態では、保持プレート１９側の各軸支点において、保持プレート１９と重なる方向へ折り畳めるので、不使用状態にあるカップホルダーを小型化することが可能となる。
【００３２】
その上、斯る不使用状態にあっては、図示する如く、第１アーム１０と第２アーム１４とが、保持プレート１９の範囲内においてその内外に効率よく折り畳まれることとなるので、例え、２種類の長短アーム１０・１４を使用して、保持プレート１９を手前に迫り出すことを可能としても、ベース板１や格納カバー６の寸法を大きくする必要もない。
【００３３】
【発明の効果】
以上の如く、本発明は、上記構成の採用により、請求項１や請求項２の下では、第１アームと第２アームの作用で、保持プレートをベース板から離して支持することが可能となるので、これに応じて、カップをベース板や被取付体から離して保持できる一方、第１アームと第２アームと共に、保持プレートをベース板に沿って折り畳めるので、カップホルダーの不使用状態が大型化する心配がない。又、特に、請求項２の下では、保持プレートをベース板から離して支持する第１アームと第２アームとを、その折畳状態では、保持プレートに対する各軸支点において、保持プレートと重なる方向へ折り畳めるので、不使用状態の更なる小型化が期待できる。
【００３４】
請求項３の下では、小型の格納カバー内に格納可能でありながら、上位にある第２アームで、保持プレートをより手前に迫り出すことができので、使い勝手が更に良好となる。請求項４の下では、同じく、小型の格納カバー内に格納可能でありながら、下位にある第２アームで、保持プレートを高位に支持できるので、カップの保持状態が頗る安定して、カップの倒れ防止に貢献できる。
【００３５】
請求項５の下では、覆い壁の存在で、カップの底部が第２アーム又は保持プレートの第１アームの軸支点よりもベース板側寄りの端部に衝突することがないので、保持プレートが誤って回動して、カップを保持できなくなる心配がない。請求項６の下では、これに加えて、カップの底部が第１アームに衝突しても、保持プレートは回動しないので、覆い壁を第１アーム側に設けておけば、カップを保持プレートのカップ保持部内に導き入れることができる。
【図面の簡単な説明】
【図１】本発明の実施の形態に係るカップホルダーを分解して示す斜視図である。
【図２】同カップホルダーの使用状態を示す斜視図である。
【図３】同カップホルダーの使用状態を示す断面図である。
【図４】（Ａ）は第２アームを上位に配した状態を示す説明図、（Ｂ）は第２アームを下位に配した状態を示す要部説明図である。
【図５】同カップホルダーの不使用状態を示す断面図である。
【図６】同カップホルダーの不使用状態を格納カバーを切欠して示す正面図である。
【符号の説明】
１    ベース板
２    弾性ロック爪
３    軸受部
４    軸受部
５    軸部
６    格納カバー
７    軸受部
８    係止部
９    捩じりコイルばね
１０  第１アーム
１１  覆い壁
１２  軸部
１３  軸部
１４  第２アーム
１５  連結壁
１６  軸部
１７  軸部
１８  ストッパー壁
１９  保持プレート
２０  カップ保持孔
２１  ストッパー溝
２２  軸受部
２３  軸受部
２４  捩じりコイルばね
Ｄ    ドア（被取付体）
【図１】
0003604531.tif 000002
【図２】
0003604531.tif 000003
【図３】
0003604531.tif 000004
【図４】
0003604531.tif 000005
【図５】
0003604531.tif 000006
【図６】
0003604531.tif 000007